(57)【要約】【課題】施工作業がし易く、かつ、組み立て剛性が高い蓄電池収納装置を提供する。【解決手段】収納箱格納体４は、一対の側部枠４１間を正面側が開口するように上下に複数のコの字状の棚枠４５で結合したフレーム構造体である収納箱格納体に形成され、棚枠４５の正面側から蓄電池収納箱３が挿入される構成とした。また、蓄電池収納箱３が、正面側の周囲に額縁状フレーム２１を有し、各額縁状フレーム２１が、正面側が開口する収納箱格納体４に締結具３５で結合されると共に、上の段の蓄電池収納箱４の額縁状フレーム２１と、下の段の蓄電池収納箱４の額縁状フレーム２１同士が締結具３３で結合される構成とした。【選択図】図１
2014191911.tif 000002
【特許請求の範囲】
【請求項１】
一対の側部枠間を正面側が開口するように上下に複数のコの字状の棚枠で結合したフレーム構造体である収納箱格納体と、前記棚枠に正面側から挿入され、この正面側の周囲に額縁状フレームを有し、複数個の蓄電池を装填できる蓄電池収納箱とを備え、
各額縁状フレームが収納箱格納体に締結具で結合されると共に、上の段の蓄電池収納箱の額縁状フレームと、下の段の蓄電池収納箱の額縁状フレーム同士が締結具で結合されていることを特徴とする蓄電池収納装置。
【請求項２】
前記収納箱格納体を載置し、床等に固定できるチャンネルベースを備え、前記収納箱格納体の側部枠がチャンネルベースに締結具で結合されると共に、前記蓄電池収納箱の最下位の額縁状フレームがチャンネルベースに締結具で結合されていることを特徴とする請求項１に記載の蓄電池収納装置。
【請求項３】
前記蓄電池収納箱に収納された蓄電池の押さえ板が、前記額縁状フレームにおける上フレームと下フレーム間に架け渡されると共に、前記額縁状フレームに取り付けられていることを特徴とする請求項１又は２に記載の蓄電池収納装置。
【発明の詳細な説明】
【技術分野】
【０００１】
本発明は、複数個の蓄電池を装填できる蓄電池収納箱と、蓄電池収納箱を支持する収納箱格納体を有する蓄電池収納装置に関する。
【背景技術】
【０００２】
蓄電池収納装置には、蓄電池を複数個装填できる蓄電池収納箱と、蓄電池収納箱を支持する収納箱格納体とを備えるものがある。
この種の蓄電池収納装置には、複数個の蓄電池を開口部が一方向にしかない蓄電池収納箱の中で横置きに装填し、その蓄電池収納箱ごと収納箱格納体に載置したものが提供されている（例えば、特許文献１参照）。
この特許文献１記載の構成では、収納箱格納体は、上下方向に蓄電池収納箱を多段で収納可能な略直方体の骨格構造を有している。また、蓄電池収納箱は、前面だけに開口部を有する箱形状に形成され、開口部横に設けたフランジを介して収納箱格納体のフレームにボルトで固定されている。
【０００３】
このようにして構成された蓄電池収納装置は、その後の保守点検作業や蓄電池の交換工事を正面側だけで比較的容易に行うことができる。また、蓄電池収納装置に外部からの力が加わった場合にも、蓄電池が中で倒れたり、蓄電池収納箱から飛び出したりすることもないので、従来から一般的に使われている単純に蓄電池を並べて置いただけの蓄電池収納装置より施工性や耐震性が高いとされている。
【先行技術文献】
【特許文献】
【０００４】
【特許文献１】特開２００１−１５０９０号公報
【発明の概要】
【発明が解決しようとする課題】
【０００５】
しかし、上記の特許文献１記載のものは、収納箱格納体の正面部に蓄電池収納箱をそこから挿入し、載置するための大きな開口部が存在するので、この箇所の剛性が他の面に較べて極端に低くなる。また、蓄電池収納箱も、蓄電池を装填するための開口部が正面にあるので、箱としての剛性はこの部分が低くなる。
また、蓄電池収納箱は、その開口部を収納箱格納体の正面に合わせる形で載置し、ボルト等で締結している。このため、蓄電池収納箱と収納箱格納体は組み立てて蓄電池収納装置として完成した後も、お互いの最も強度の低い開口部を同じ方向に向けた形となり、組み立てた後も正面部の剛性は依然として低いままの構造となっている。
【０００６】
また、特許文献１の文中には、「組立て後は蓄電池収納箱と収納箱格納体がお互いに支持しあう」といった記述が有る。
しかし、蓄電池収納箱は、蓄電池を固定するためのプレートを付ける「フランジ１」と、蓄電池収納箱を収納箱格納体に固定するための「フランジ２」に物理的に分かれた構造になっている。しかも、その両方のフランジとも薄い板状の部材で構成されている。従って、これらフランジは、蓄電池収納箱の開口部周辺の剛性を上げる目的では作られていない。
さらに、特許文献１の文中には、「蓄電池収納箱の肉厚を薄くでき、その軽量化も図ることができる」と言った記述もあることから、蓄電池収納箱そのものの剛性が低くなるおそれがある。
【０００７】
つまり、蓄電池収納箱は、収納箱格納体に支持されているだけで、組み立てることによって収納箱格納体の強度を補う役割を果たすように作られたものではない。
このことから、特許文献１は、蓄電池収納装置に外部からの力が加わった場合に、蓄電池が中で倒れたり蓄電池収納箱から飛び出したりする事はないが、前述の理由により、より組み立て剛性を上げて蓄電池収納装置自体の破損や倒壊を防止することが望まれる。
【０００８】
次に、特許文献１は、施工や保守点検作業を正面側からだけで比較的容易に行える事を特徴として挙げているが、収納箱格納体そのものの運搬や据付までは充分に考慮されてはいない。
例えば、特許文献１の収納箱格納体は、蓄電池収納箱を挿入する前にそれ自体を直接壁や床にアンカーボルト等で固定しているので、その周辺は強度を上げるために太い鋼材を用いたり、補強を入れたりして頑丈に作らなければならない。これが収納箱格納体の重量増加に繋がり運搬を困難にしている。
【０００９】
また、収納箱格納体を他の機器に隣接して並べる場合や背面を壁際に付けて設置する場合に、作業者はその側面や背面に回り込めないので、収納箱格納体の中に入って据付作業を行う事になる。
しかし、収納箱格納体正面の上部と下部には、左右両側面と連結するフレームがあるので、これらが作業者の出入りの邪魔になったり、施工の際に作業者の体や大型の工具がこれらのフレームにつかえたり、といった不都合が生じ易い。従って、特許文献１は、収納箱格納体そのものの運搬や据付工事までを含めた蓄電池収納装置全体としての施工性を考慮した構造ではない。
【００１０】
本発明は、上述した事情を鑑みてなされたものであり、施工作業がし易く、かつ、組み立て剛性が高い蓄電池収納装置を提供することを目的としている。
【課題を解決するための手段】
【００１１】
上述した課題を解決するため、本発明の蓄電池収納装置は、一対の側部枠間を正面側が開口するように上下に複数のコの字状の棚枠で結合したフレーム構造体である収納箱格納体と、前記棚枠に正面側から挿入され、この正面側の周囲に額縁状フレームを有し、複数個の蓄電池を装填できる蓄電池収納箱とを備え、各額縁状フレームが収納箱格納体に締結具で結合されると共に、上の段の蓄電池収納箱の額縁状フレームと、下の段の蓄電池収納箱の額縁状フレーム同士が締結具で結合されていることを特徴とする。
この構成によれば、運搬や据付工事までを含めた施工作業がし易く、かつ、組み立て剛性が高い蓄電池収納装置を提供することができる。
【００１２】
上記構成において、前記収納箱格納体を載置し、床等に固定できるチャンネルベースを備え、前記収納箱格納体の側部枠がチャンネルベースに締結具で結合されると共に、前記蓄電池収納箱の最下位の額縁状フレームがチャンネルベースに締結具で結合されていることを特徴とする。
この構成によれば、チャンネルベースと蓄電池収納箱の額縁状フレームとが一体に結合し、蓄電池収納装置の組み立て剛性をより高めることができる。
また、この構成によれば、チャンネルベースが、収納箱格納体の左右一対の側部枠と連結されるので、左右一対の側部枠を架橋する底面フレームとして機能し、収納箱格納体の剛性をさらに高めることができる。
【００１３】
また、上記構成において、前記蓄電池収納箱に収納された蓄電池の押さえ板が、前記額縁状フレームにおける上フレームと下フレーム間に架け渡されると共に、前記額縁状フレームに取り付けられていることを特徴とする。
この構成によれば、蓄電池の前面の左右両端が抑えられ、地震や転倒による蓄電池の突出を防止することができると共に、額縁状フレームを補強することができる。
【発明の効果】
【００１４】
本発明によれば、施工作業がし易く、かつ、組み立て剛性が高い蓄電池収納装置を提供することができる。
【図面の簡単な説明】
【００１５】
【図１】本発明の実施形態に係る、蓄電池の装填後の蓄電池収納装置の斜視図である。
【図２】蓄電池の装填前の蓄電池収納装置の斜視図である。
【図３】蓄電池収納箱を蓄電池と共に示した斜視図である。
【図４】蓄電池収納箱に蓄電池を横向きで装填する様子を示した斜視図である。
【図５】上下に配列される蓄電池収納箱を側面から見た図である。
【図６】収納箱格納体の斜視図である。
【図７】チャンネルベースの斜視図である。
【図８】チャンネルベースと収納箱格納体を組んだ図である。
【図９】蓄電池収納箱の組み立ての説明に供する図である。
【図１０】蓄電池収納装置に蓄電池を装填する様子を示した斜視図である。
【発明を実施するための形態】
【００１６】
以下、図面を参照して本発明の一実施の形態について説明する。
図１は、本発明の実施形態に係る蓄電池の装填後の蓄電池収納装置の斜視図である。
この蓄電池収納装置１は、複数個の蓄電池２が装填される蓄電池収納箱３と、蓄電池収納箱３を支持するフレーム構造体である収納箱格納体４と、収納箱格納体４を載置し、床等に固定できるチャンネルベース５とを備えている。蓄電池収納装置１に収納される各蓄電池２は、不図示の導体により接続されて組電池を構成し、その電力を負荷に供給する。
なお、図１に示す前後左右および上下の各方向は、蓄電池収納装置１の前後左右および上下の各方向を示し、蓄電池収納装置１の前側が蓄電池収納装置１の正面である。
【００１７】
図２は、蓄電池２の装填前の蓄電池収納装置１の斜視図である。
本実施形態では、蓄電池収納箱３を上下に多段（４段）で備え、各蓄電池収納箱３に６個の蓄電池２を、前面を前方（正面）に向けて横並びに収納する。これによって、蓄電池収納装置１は、図１に示すように、２４個の蓄電池２を収納し、全体で約１〜２ｔ程度の重量を有している。
なお、蓄電池収納箱３の段数や蓄電池２の収納数は適宜に変更可能であるが、耐震性等を考慮すると、最大でも５段までが好ましい。
【００１８】
図３は、蓄電池収納箱３を蓄電池２と共に示した斜視図であり、図４は、蓄電池収納箱３に蓄電池２を横向きで装填する様子を示した斜視図である。
図３および図４に示すように、蓄電池２は、産業用制御弁式鉛蓄電池であり、直方体形状の電槽２Ａと、その前面に正・負極端子２Ｂ、排気栓等を備えた蓋部がヒートシール等により接合されている。
蓄電池収納箱３は、開口部３Ａが前面（正面）にしか形成されない略直方体形状の箱体１１と、この箱体１１の開口部（以下、正面開口部と言う）３Ａの周囲を囲う額縁状フレーム２１とを備えて構成される。なお、各段の蓄電池収納箱３は同じ構成である。
箱体１１は、鉄やステンレス鋼等などの鋼材製の底板１２、上板１３、左右の側板１４および背面板１５を溶接等で接合して製作されている。
【００１９】
額縁状フレーム２１は、箱体１１とは別の鋼板を折り曲げてフレーム状にした部材であり、正面開口部３Ａを底板１２、上板１３および左右の側板１４に渡って囲む額縁状に形成されている。これによって、額縁状フレーム２１は、箱体１１の正面開口部３Ａを補強する。
より具体的には、額縁状フレーム２１は、箱体１１の上板１３上面に溶接で接合された上フレーム２１Ａと、箱体１１の底板１２下面に溶接で接合された下フレーム２１Ｂと、箱体１１の左右の側板１４の外側面に溶接で接合された左右の側フレーム２１Ｃとを有している。
【００２０】
上フレーム２１Ａは、箱体１１の上板１３の前縁に沿って左右に延び、上板１３よりも左右に張り出す平板状に形成されている。また、下フレーム２１Ｂは、上フレーム２１Ａと同様の構造であり、箱体１１の底板１２の前縁に沿って左右に延び、底板１２よりも左右に張り出す平板状に形成されている。
左右の側フレーム２１Ｃは、前後に間隔を空けて配置される前後一対の側フレーム２１Ｃ１、２１Ｃ２を備えている。
前側の側フレーム２１Ｃ１は、上フレーム２１Ａの前縁と下フレーム２１Ｂの前縁との間を架橋し、後側の側フレーム２１Ｃ２は、上フレーム２１Ａの後縁と下フレーム２１Ｂの後縁との間を架橋する。このようにして側フレーム２１Ｃが、上下のフレーム２１Ａ、２１Ｂ間を前後に間隔を空けてつなぐため、側フレーム２１Ｃ自体の剛性を高めることができると共に、額縁状フレーム２１全体の剛性も高めることができる。
【００２１】
また、上フレーム２１Ａには、この上フレーム２１Ａの前縁から下方に折れ曲がって正面開口部３Ａの幅全体に渡って延在する受け板部２１Ａ１が一体に形成されている。同様に、下フレーム２１Ｂにも、この下フレーム２１Ｂの前縁から上方に折れ曲がって正面開口部３Ａの幅全体に渡って延在する受け板部２１Ｂ１が形成されている。
これら上下の受け板部２１Ａ１、２１Ｂ１には、図４に示すように、蓄電池収納箱３に装填された蓄電池２を前方から押さえる押さえ板１７を締結具（本構成では、ねじ）３１で固定するためのタップ孔１８が形成されている。つまり、額縁状フレーム２１は、押さえ板１７を取り付けるための取付部材を兼ねている。
同図４に示すように、押さえ板１７は、蓄電池収納箱３に装填された蓄電池２間に固定され、地震や転倒による蓄電池２の突出を防止する。
【００２２】
図５は、上下に配列される蓄電池収納箱３を側面から見た図である。
上記の額縁状フレーム２１は、適所に部材の二枚重ねの領域を設けることによって剛性を高めている。すなわち、図５に示すように、上下のフレーム２１Ａ、２１Ｂの左右両端部が板材の折り返し、或いは、部材の二枚重ねの溶接等によって二枚重ねに構成されている。これによって、左右両端部の剛性を高めている（図中、符号αで示す箇所）。この箇所αには、図３および図４に示すように、額縁状フレーム２１を他の額縁状フレーム２１或いはチャンネルベース５に締結するための締結具３３（後述する図１０）を通す複数の孔部３４が各々形成されている。これによって、締結部分の剛性を十分に確保することができる。
【００２３】
後段で説明するように、複数個の蓄電池収納箱３を収納箱格納体４に格納させた場合には、図５に示すように、上の段の額縁状フレーム２１の下フレーム２１Ｂが、下の段の額縁状フレーム２１の上フレーム２１Ａの上に載置される。
上下のフレーム２１Ａ、２１Ｂは蓄電池収納箱３の箱体１１よりも上方および下方に突出しているため（図５参照）、上の段の蓄電池収納箱３の箱体１１の底板１２と、下の段の蓄電池収納箱３の箱体１１の上板１３との間には、隙間βが形成される。この隙間βにより、上下の蓄電池収納箱３間の熱移動を低減することができる。
【００２４】
また、図３および図４に示すように、後側の側フレーム２１Ｃ２には、額縁状フレーム２１を収納箱格納体４に締結するための締結具３５（図１参照）を通す上下一対の孔部３６が各々形成される。また、前側の側フレーム２１Ｃ１には、これら孔部３６を正面側に露出させるための逃げ部２３（図３、図４参照）が形成される。この額縁状フレーム２１における収納箱格納体４との締結部分は、上述したように、前後の側フレーム２１Ｃ１、２１Ｃ２と上下フレーム２１Ａ、２１Ｂとを互いに連結した構造であるため、十分な剛性を得ている。
【００２５】
次いで、収納箱格納体４について説明する。
図６は、収納箱格納体４の斜視図である。
収納箱格納体４は、左右一対の側部枠４１と、一対の側部枠４１間を正面側が開口するよう結合する上下に複数の棚枠４５とを有した骨格構造であり、これら側部枠４１および棚枠４５を、鋼板等の鋼材を溶接等で接合して製作されている。
側部枠４１は、収納箱格納体４の側面を構成する矩形枠状のフレームに形成されている。より具体的には、この側部枠４１は、前後に間隔を空けて上下に延びる前後一対の縦フレーム４１Ａ、４１Ｂと、前後一対の縦フレーム４１Ａ、４１Ｂの上下端を架橋する上下一対の側部上フレーム４１Ｃおよび側部下フレーム４１Ｄを有している。
【００２６】
側部枠４１を構成する上記４つのフレーム４１Ａ〜４１Ｄは、断面Ｌ字形状に形成されており、単純な平板部材で形成する場合に比して剛性を高めている。
また、前側の縦フレーム４１Ａの前面には、締結具３５を通す複数の孔部４２が上下に間隔を空けて設けられる。
また、側部下フレーム４１Ｄには、チャンネルベース５を固定する固定用の締結具（本構成では締結ボルト）３７を通す複数の孔部３８が前後に間隔を空けて形成されている。
【００２７】
棚枠４５は、蓄電池収納箱３の左右の底辺が載置される左右一対の側部桟４６と、左右一対の側部桟４６の後端間をつなぎ、蓄電池収納箱３の後部の底辺が載置される背面側桟４７とを一体に備え、上面視で前方が開口するコの字状に形成されている。
左右一対の側部桟４６は、側部枠４１の前後一対の縦フレーム４１Ａ、４１Ｂ間を架橋するように側部枠４１に溶接等で接合され、これによって、側部枠４１を補強する。また、背面側桟４７は、左右の側部枠４１の後側の縦フレーム４１Ｂ、間を架橋し、左右の側部枠４１間の背面フレームを構成する。
すなわち、側部枠４１は、収納箱格納体４の左右両側面を構成するフレームの一部として機能すると共に、収納箱格納体４の背面を構成するフレームとして機能する。
【００２８】
棚枠４５を構成する各側部桟４６、背面側桟４７は、蓄電池収納箱３が載置される載置板部４６Ａ、４７Ａと、載置板部４６Ａ、４７Ａの側縁から下方に屈曲する屈曲板部４６Ｂ、４７Ｂを一体に有する断面Ｌ字状に形成されている。これら屈曲板部４６Ｂ、４７Ｂは、載置板部４６Ａ、４７Ａとは別の鋼板を溶接等で接合することによって設けられている。
但し、最下段の棚枠４５については、上方の３つの棚枠４５と上下逆にして取り付けられている。このため、最下段の棚枠４５では、屈曲板部４６Ｂ、４７Ｂが載置板部４６Ａ、４７Ａの側縁から上方に屈曲している。
【００２９】
左右の側部桟４６の屈曲板部４６Ｂは、溶接等によって側部枠４１に接合される。本構成では、複数の棚枠４５が上下に間隔を空けて左右一対の側部枠４１に取り付けられるので、側部枠４１を左右の側部桟４６が梯子状に架橋する。この場合、棚枠４５の背面側桟４７は、左右の側部枠４１を上下に間隔を空けて梯子状に繋ぐので、上下に渡って左右の側部枠４１を補強することができる。また、棚枠４５の正面側が開口するので、正面側から蓄電池収納箱３を容易に挿入可能である。
【００３０】
背面側桟４７の後端から下方に屈曲する屈曲板部４７Ｂは、図５に示すように、蓄電池収納箱３を収納箱格納体４に格納させたときに、この段の蓄電池収納箱３の箱体１１の後部の底板１２と、下の段の蓄電池収納箱３の箱体１１の後部の上板１３との間に、予め定めた隙間βを保つように形成されている。
より具体的には、この屈曲板部４７Ｂは、蓄電池収納箱３を収納箱格納体４に挿入するときの最低限のクリアランスを確保すると共に、地震等で外部から大きな力が加わった際に蓄電池収納箱３の振れ幅を抑える振れ抑え部材として機能する。
本構成では、この隙間βを２ｍｍ程度に設定することによって、外部から大きな力が加わって、蓄電池収納箱３の後部が収納箱格納体４の中で振れた場合に、屈曲板部４７Ｂが蓄電池収納箱３の上部後端に触れて蓄電池収納箱３の振れ幅をダメージが及ばない最小限の振れ幅に抑えるようにしている。
なお、この屈曲板部４７Ｂにゴム等の緩衝材を貼っておくと、振れを抑制する効果は一層大きくなる。
【００３１】
図７は、チャンネルベース５の斜視図である。また、図８は、チャンネルベース５と収納箱格納体４を組んだ図であり、図９は、図８の状態から更に蓄電池収納箱３を組む途中の図である。
図７に示すように、チャンネルベース５は、収納箱格納体４よりも厚く強度が高い鋼材を溶接等で接合して製作され、収納箱格納体４と蓄電池収納箱３の額縁状フレーム２１を安定して載置することができる台座に形成されている。
より具体的には、チャンネルベース５は、収納箱格納体４および最下段の蓄電池収納箱３の下面よりも幅が広く、前後の長さ（奥行き）も大きく、中央部に開口部５１を有する台座に形成されている。このチャンネルベース５の上面部には、収納箱格納体４の左右一対の側部枠４１に設けられた孔部３８（図６参照）に各々連通する複数の締結孔５２が形成されている。
【００３２】
図８に示すように、収納箱格納体４をチャンネルベース５に載置し、締結具（本構成では締結ボルト）３７を孔部３８（図６参照）に通して締結孔５２に締結することによって、収納箱格納体４がチャンネルベース５に連結される。
この場合、チャンネルベース５が、収納箱格納体４の左右一対の側部枠４１と連結されるので、左右一対の側部枠４１を架橋する底面フレームとして機能し、収納箱格納体４の剛性を高めることができる。
【００３３】
さらに、チャンネルベース５の上面部には、図７に示すように、最下段の蓄電池収納箱３の額縁状フレーム２１に設けられた孔部３４（図３、図４参照）に各々連通する左右一対の締結孔５４も形成されている。
図９に示すように、最下段の蓄電池収納箱３を、収納箱格納体４に挿入して蓄電池収納箱３の側フレーム２１Ｃを、収納箱格納体４の縦フレーム４１Ａに当接させると、蓄電池収納箱３の孔部３４（図９、図３、図４参照）とチャンネルベース５の締結孔５４とが揃う。この状態で、締結具（本構成では締結ボルトとナット）３３を用いることによって、最下段の蓄電池収納箱３がチャンネルベース５に連結される。
また、蓄電池収納箱３の側フレーム２１Ｃの孔部３６（図３、図４参照）も収納箱格納体の前フレームに形成された孔部４２に揃う。この状態で、図９に示すように、締結具（本構成では締結ボルト、或いは、締結ボルトとナットの組み合わせ）３５を用いることによって、蓄電池収納箱３が収納箱格納体４にも連結される。
【００３４】
図７に示すように、チャンネルベース５の下面部には、チャンネルベース５自体を床等に固定するため締結具（アンカーボルトまたは固定ボルト）３９（図８、図９参照）を通す複数の孔部５５が設けられている。また、締結具３９を締め付ける際に上からの作業がしやすいように、チャンネルベース５の後方の上面部には、上記孔部５５の上方に工具通し用の切り欠き５６が設けられている。
なお、図７では、チャンネルベース５の後方の上面部にのみ、工具通し用の切り欠き５６が形成されているが、前方の上面部にも形成しても良い。このようにすることで、蓄電池収納装置１を壁際に設置する場合にチャンネルベース５を床等に前後方向逆に取り付けるという問題をなくすことができる。
この蓄電池収納装置１を組み立てる場合には、まず、図８に示すように、床等の安定した面の上にチャンネルベース５を締結具３９で固定し、その上に、収納箱格納体４を載置し、チャンネルベース５と収納箱格納体４とを締結具３７で連結する。
【００３５】
収納箱格納体４は、左右一対の側部枠４１の後端間を棚枠４５の背面側桟４７で連結したフレーム構造であり、正面、上面および下面がフレームで連結されていない構造である。このため、蓄電池収納箱３の挿入前は、正面、上面および下面の三方が開口し、収納箱格納体４の内側への作業員の出入りが容易である。
また、作業員が大型の工具を使っても工具が正面や下面につかえることが無く、運搬や施工に伴う作業性が向上する。
【００３６】
次いで、図９に示すように、蓄電池収納箱３を、収納箱格納体４の正面側から、下の段から順に挿入する。蓄電池収納箱３の額縁状フレーム２１は、収納箱格納体４の幅と同一に作られているので、蓄電池収納箱３は、額縁状フレーム２１の側フレーム２１Ｃが、蓄電池収納箱３の側部枠４１の前面に当接するまで挿入することができる。このように当接するまで挿入すると、蓄電池収納箱３は、棚枠４５の左右一対の側部桟４６と背面側桟４７の上に載置される。
なお、棚枠４５間の間隔は、蓄電池収納箱３を、収納箱格納体４に挿入したときに、蓄電池収納箱３の下面が収納箱格納体４の側枠４５の上面に載置されるように、適宜調整されている。
また、額縁状フレーム２１の側フレーム２１Ｃと収納箱格納体４の縦フレーム４１Ａ同士が重なり、それぞれに設けた孔部３６、４２の位置が揃い、締結具３５によって額縁状フレーム２１と収納箱格納体４とを連結する。
【００３７】
収納箱格納体４は、上下に間隔を空けて棚枠４５を備えるので、上記したように、各棚枠４５に正面側から蓄電池収納箱３を挿入し、締結具３５で締結することによって、複数段の蓄電池収納箱３が収納箱格納体４に取り付けられる。
ここで、最下段の蓄電池収納箱３を、額縁状フレーム２１が収納箱格納体４に当接するまで挿入した場合には、額縁状フレーム２１の下フレーム２１Ｂがチャンネルベース５の上面に載置される。この場合、額縁状フレーム２１の下フレーム２１Ｂに形成された孔部３４が、チャンネルベース５の締結孔５４に揃い、図１０に示すように、締結具３３によって、額縁状フレーム２１とチャンネルベース５とを連結する。
【００３８】
最下段の蓄電池収納箱３よりも上方の蓄電池収納箱３は、図９に示すように、上の段の額縁状フレーム２１の下フレーム２１Ｂが、下の段の額縁状フレーム２１の上フレーム２１Ａと丁度重なり、上の段の額縁状フレーム２１が下の段の額縁状フレーム２１に載置される（図５参照）。
この場合、上の段の額縁状フレーム２１の下フレーム２１Ｂに形成された孔部３４が、下の段の額縁状フレーム２１の上フレーム２１Ａに形成された孔部３４に揃う。この状態で、図９に示すように、締結ボルトおよびナット類からなる締結具３３によって、上下の額縁状フレーム２１同士を連結する。
【００３９】
このようにして、チャンネルベース５、収納箱格納体４および蓄電池収納箱３が締結により構造的に完全に一体化される。チャンネルベース５は、収納箱格納体４よりも厚く強度が高い鋼材等を溶接等で接合して製作されているので、締結後は、収納箱格納体４の底面フレームとしての役割を果たすのに充分な剛性を備えている。
また、蓄電池収納箱３の額縁状フレーム２１は、個々の蓄電池収納箱３に対して強度が弱い正面開口部３Ａを補強する役割を果たす。しかも、額縁状フレーム２１は、収納箱格納体４に固定されるので、収納箱格納体４の正面側に複数本のフレームを追加したのと同じ効果を生み、収納箱格納体４の正面側を補強する役割も果たす。
さらに、額縁状フレーム２１同士は連結されると共に、チャンネルベース５にも連結されるので、これらが構造的に一体化して蓄電池収納装置１の剛性が更に向上する。これらによって、蓄電池収納装置１の組み立て剛性を充分に向上させることができる。
【００４０】
図１０は、蓄電池２の装填を説明する図である。
この図に示すように、蓄電池２は、蓄電池収納箱３に順に装填された後、隣接する蓄電池２の間に、正面側から押さえ板１７が取り付けられる。この押さえ板１７によって、蓄電池２の前面の左右両端が抑えられ、地震や転倒による蓄電池２の突出が防止される。
以上、このようにして、チャンネルベース５の設置、収納箱格納体４の設置、蓄電池収納箱３の挿入、蓄電池２の装填が行われ、蓄電池収納装置１の組み立てが行われる。
なお、本実施形態では、収納箱格納体４に蓄電池収納箱３の挿入を行った後に、蓄電池収納箱３に蓄電池２の装填を行っているが、蓄電池収納箱３に蓄電池２の装填を行った後に、蓄電池２入りの蓄電池収納箱３を収納箱格納体４に一気に挿入することも可能である。
【００４１】
以上説明したように、本実施の形態では、図６に示すように、収納箱格納体４が、一対の側部枠４１間を正面側が開口するように上下に複数のコの字状の棚枠４５で結合したフレーム構造体に形成され、棚枠４５の正面側から蓄電池収納箱３が挿入されるため、蓄電池収納箱３の挿入作業や保守点検作業を収納箱格納体４の正面側から容易に行うことができる。また、この構成によれば、収納箱格納体４の運搬や据付の際に、作業者の出入りの邪魔になったり、作業者の体や大型の工具がこれらのフレームにつかえたり、といった不都合を回避することができる。
従って、運搬や据付工事までを含めた施工作業を容易に行うことが可能になる。
【００４２】
しかも、本構成では、図９に示すように、蓄電池収納箱３が、正面側の周囲に額縁状フレーム２１を有し、各額縁状フレーム２１が、正面側が開口する収納箱格納体４に締結具３５で結合されると共に、上下の額縁状フレーム２１同士が締結具３３で結合されるため、蓄電池収納箱３の正面開口部３Ａを補強すると共に、蓄電池収納装置１の正面側を補強し、蓄電池収納装置１の組み立て剛性を高めることができる。
これらにより、特開２００１−１５０９０号公報に記載の従来の蓄電池収納装置と比較しても、施工作業がし易く、かつ、組み立て剛性が高い蓄電池収納装置１を提供することが可能になる。
【００４３】
また、本構成では、図８〜図１０に示すように、蓄電池収納箱３を載置し、床等に固定できるチャンネルベース５を備え、収納箱格納体４の側部枠４１がチャンネルベース５に締結具で結合されると共に、蓄電池収納箱３の最下段の額縁状フレーム２１がチャンネルベース５に締結具３３で結合されるため、チャンネルベース５と額縁状フレーム２１とが一体に結合し、蓄電池収納装置１の組み立て剛性をより高めることができる。
さらに、本構成では、図９および図１０に示すように、額縁状フレーム２１は、一対の側フレーム２１Ｃ、上フレーム２１Ａ及び下フレーム２１Ｂを有し、各額縁状フレーム２１の側フレーム２１Ｃが収納箱格納体４に締結具３５で結合されると共に、上下の額縁状フレーム２１の側フレーム２１Ｃ同士が締結具３３で結合されるため、額縁状フレーム２１同士の結合部と、額縁状フレーム２１と収納箱格納体４との結合部とが近接し、これらの剛性を互いに補強することができる。これにより、蓄電池収納箱３の箱体１１の鋼板そのものの肉厚を薄くしても、剛性を確保し易くなり、蓄電池収納装置１の軽量化と剛性確保との両立を図り易くなる。
【００４４】
これに対し、特開２００１−１５０９０号公報に記載の開口部横にフランジを設けた蓄電池収納箱では、フランジを厚く設計したとしても結局は蓄電池収納箱の鋼板の厚み分の強度しか得られず、充分な補強効果を得にくい。しかも、補強効果を上げるために、鋼板の厚みを増やすと、蓄電池収納箱が重くなってしまい、軽量化と剛性確保との両立が困難である。
【００４５】
また、本構成では、図４や図１０に示すように、蓄電池収納箱３に収納された蓄電池２の押さえ板１７が、額縁状フレーム２１における上フレーム２１Ａと下フレーム２１Ｂ間に架け渡されるので、押さえ板１７によって額縁状フレーム２１を補強することができる。また、押さえ板１７を、剛性を有する額縁状フレーム２１に取り付けるので、押さえ板１７の支持剛性を高めることができ、蓄電池２の突出防止効果をより高めることができる。
さらに、本構成では、図８に示すように、収納箱格納体４が、直方体を構成する六面のうち、正面、上面および下面の三面が開口するフレーム構造になる。このため、運搬や据付工事までを含めた施工作業がより容易になると共に、特開２００１−１５０９０号公報に記載した収納物格納体と較べて軽量化し易くなる。
【００４６】
上述した各実施形態は、あくまでも本発明の一態様を示すものであり、本発明の主旨を逸脱しない範囲で任意に変形及び応用が可能である。
例えば、上述の実施形態では、額縁状フレーム２１の各部材を、鋼板を折り曲げて形成する場合を説明したが、これに限らず、適切な寸法の鋼材を溶接等で接合して形成しても良い。
【符号の説明】
【００４７】
１  蓄電池収納装置
２  蓄電池
３  蓄電池収納箱
３Ａ  正面開口部
４  収納箱格納体（フレーム構造体）
５  チャンネルベース
１７  押さえ板
２１  額縁状フレーム
２１Ａ  上フレーム
２１Ｂ  下フレーム
２１Ｃ  側フレーム
３１、３３、３５、３７、３９  締結具
４１  側部枠
４５  棚枠
【図１】
2014191911.tif 000003
【図２】
2014191911.tif 000004
【図３】
2014191911.tif 000005
【図４】
2014191911.tif 000006
【図５】
2014191911.tif 000007
【図６】
2014191911.tif 000008
【図７】
2014191911.tif 000009
【図８】
2014191911.tif 000010
【図９】
2014191911.tif 000011
【図１０】
2014191911.tif 000012